(57)【要約】  署名保護された感光性光学的可変性（ＰＯＶ）インクであって、他のセキュリティ機能に加えて独自の署名を提供することができるインクを提供する。インクは、少なくとも２種類の着色剤、第３の署名成分及び印刷を可能にする他の原料とを含有する。第１の着色剤は、蛍光-励起電磁線により励起されると固有の発光帯内で光を放出する蛍光染料及び／又は顔料を含む。第２の着色剤は、暗色をもたらすような方法で第１の着色剤の固有の発光帯に重なるか又はそれよりも長い波長の光吸収帯を有する染料及び／又は顔料を含む。第３の成分は、蛍光／燐光希土類組成物である。インクは、暗色の可視インク画像を生じ、これは、検出可能な一致する蛍光及び燐光画像を更に生成する。インクを、赤色燐光の検出器と共に用いて高速分類作業における新しいレベルのセキュリティを達成することができる。
2008503643.tif 000002
【特許請求の範囲】
【請求項１】
蛍光-励起電磁線に曝されると、蛍光を示す暗色の機械読み取り可能な画像を含む安全なマーキングを提供することができ、インクジェット印刷に用いるのに適切な粘性及び表面張力を有する水性インクであって、
（ａ）蛍光-励起電磁線により励起されると固有の発光帯内の光を放出する蛍光染料及び／又は顔料を含む第１の着色剤、
（ｂ）暗色をもたらすような方法で前記第１の着色剤の固有の発光帯に重なるか又はそれよりも長い波長の光吸収帯を有する染料及び／又はコロイド状顔料を含む第２の着色剤、
（ｃ）セキュリティ識別に有効な検出可能な量の蛍光／燐光希土類組成物を含む第３の成分、及び
（ｄ）インクジェット印刷によって予め決定されたパターンでインクを基体に適用するのに有効なインク粘性及び表面張力を達成するのに十分な量の水及び水溶性ビヒクルを含む水性液体ビヒクル、
を含むことを特徴とするインク。
【請求項２】
前記蛍光／燐光組成物が、ユーロピウムの組成物を含む請求項１に記載のインク。
【請求項３】
前記第２の着色剤が、コロイド状顔料を含む請求項１に記載のインク。
【請求項４】
前記着色剤が、白色封筒基体上にドローダウンした後の乾燥した画像が、５０〜９９＋ＰＭＵの蛍光強度を示すように選択される請求項１に記載のインク。
【請求項５】
１５ｃｐｓ未満の粘性を示す請求項１に記載のインク。
【請求項６】
前記インクが、固有の異なる発光スペクトルを有する２種の希土類種を含む請求項１に記載のインク。
【請求項７】
前記インクが、第一ピークに対して約７０〜８０ｎｍの発光帯幅及び約１０ｎｍ未満の第二ピークを示す請求項１に記載のインク。
【請求項８】
希土類種が、第一蛍光ピーク及び第二発光ピークの右側に蛍光スパイクを示す請求項１に記載のインク。
【請求項９】
希土類組成物が、インクの質量に対して５％未満の濃度で存在する時に、検出可能な燐光を示す請求項１に記載のインク。
【請求項１０】
セキュリティマーキングを基体上に印刷する方法であって、
インクジェットプリンタに請求項１に記載のインクを提供することによって、可視、蛍光、及び燐光成分を有する画像を印刷する工程、及び該インクで基体上に画像を印刷する工程を含むことを特徴とする方法。
【請求項１１】
前記燐光成分が、ユーロピウムの組成物を含む請求項１０に記載の方法。
【請求項１２】
第２の着色剤が、コロイド状顔料を含む請求項１０に記載の方法。
【請求項１３】
前記インクが、第一蛍光ピーク及び第二発光ピークの右側に燐光スパイクを示す希土類種を含む請求項１０に記載の方法。
【請求項１４】
前記希土類種が、前記インクの質量の５％未満の濃度で存在する時に検出可能な燐光を示す請求項１３に記載の方法。
【請求項１５】
セキュリティ方法であって、
（ａ）請求項１に記載のインクで基体上に画像を印刷する工程、
（ｂ）前記画像に白色光を照射する工程、
（ｃ）白色光を照射された時に前記画像を読み取る工程、
（ｄ）前記画像に紫外線を照射する工程、
（ｅ）前記画像を赤色蛍光検出器で読み取る工程、
（ｆ）前記赤色蛍光検出器で読み取った前記画像を基準値と比較する工程、
（ｇ）前記工程（ｆ）での比較に基づいて制御信号を発生させる工程、
（ｈ）紫外線照射を終了する工程、
（ｉ）前記画像を赤色燐光検出器で読み取る工程、
（ｊ）前記赤色燐光検出器で読み取った前記画像を基準値とを比較する工程、及び
（ｋ）前記工程（ｊ）での比較に基づいて制御信号を発生させる工程、
を含むことを特徴とする方法。
【請求項１６】
読み取った前記画像によって発生した信号をトラステッドセンダーに対する基準値と相関させる更なる工程を含む請求項１５に記載の方法。
【請求項１７】
複数の郵便物を迅速に選別し、かつ前記読み取った画像によって発生した信号を使用してトラステッドセンダーからの郵便物をトラステッドセンダーからのものとして識別されない郵便物から分離する手段を始動する更なる工程を含む請求項１５に記載の方法。
【請求項１８】
前記基体が、郵便物であり、前記画像は、フェーサーキャンセラーによって読み取られる請求項１５に記載の方法。
【請求項１９】
前記画像が、選択的に励起され、かつ蛍光及び燐光に対して試験される請求項１５に記載の方法。
【請求項２０】
前記インクは、固有の異なる発光スペクトルを有する２種の希土類種を含む請求項１５に記載の方法。
【発明の詳細な説明】
【技術分野】
【０００１】
本発明は、新しい感光性の光学的可変性（ＰＯＶ）インクに関し、特に、安全インクとして用いるのによく適応する機能を強化した画像を印刷することができる水溶性ＰＯＶインクに関する。
【背景技術】
【０００２】
本発明のＰＯＶインクは、インクジェット印刷に用いるのに有用であり、様々なセキュリティ適用を有する。これらは、他のインクと異なる種類のセキュリティマーキングを生成することができる。ＰＯＶインクは、信頼できる供給源又は認可された供給元から入手可能である場合には、偽造品製造に大きな障壁を呈するが、最も精巧なセキュリティ手段でも時には出し抜かれる可能性がある。本発明は、第一に容易に検出されず、検出されても容易に複製されないセキュリティ機能を有するインクジェットインクを提供する。
【０００３】
本発明のインクは、感光性で光学的に可変性であり、これは、短波長光で励起されると特定の波長範囲で蛍光を発する印刷された視覚的に黒又は濃灰色の機械読み取り式情報を有するマーキングを提供することができることを意味する。印刷された画像は、可視スペクトルの赤色領域を含む全可視スペクトルにわたって可視光吸収を示し、この赤色インクは、典型的な自動スキャニングシステムに不可視である。この種類のインクは、例えば、米国特許公開第２００３／００４１７７４号、米国特許公開第２００２／０１９５５８６号、及びＪｕｄｉｔｈ  Ｄ、Ａｕｓｌａｎｄｅｒ、Ｍｉｋｅ  Ｃｈｅｎの名前で２００４年６月２２日に出願されて同一出願人による同時継続出願の「インクジェット印刷に有用な感光性の光学的可変性インク組成物」という名称の米国特許出願第１０／８７３，３１９号に説明されている。これらのインクは、「クラフト」又は「マニラ」のような濃色の紙を含む実質的に全ての従来の基体上で許容されるＰＣＳ（印刷コントラスト信号）を達成することになる。ＰＣＳという用語は、印刷反射率差（ＰＲＤ）と基体反射率の比率を意味し、ＰＲＤは、紙の反射率とインクの反射率との差である。これら及び他の郵便用語には、「米国郵政公社（ＵＳＰＳ）」によって定義された意味が与えられる。これらのインクは、情報を有するチケット、タグ、ラベル、郵便料証印、及び同様のセキュリティマーキングの様々な種類の自動検出装置に用いることができる。
【０００４】
郵便物又は他の運送品目の発送者（センダー）又は発起人を簡単かつ有効に識別することには多くの理由があり、高レベルの信頼度を正当化するために非常に高度なセキュリティが必要とされている。郵便物の場合には、「発送者特定郵便（ＳＩＭ）」マーキングを用いることが郵便の分類を助けるのに有効であり、これを用いて料金及び他の情報を確認することができる。セキュリティが重要である場合には、ＰＯＶインクを用いると、有用な付加的なセキュリティ層を設けることができる。みかけは上述の種類のＰＯＶインクに見えるが、付加的な容易に検出することができないセキュリティ機能を有するインクを有することが望ましいであろう。この種類のインクは、管理された供給元から入手可能である場合、及び特に調製を認定ユーザに相関させるセキュリティ方法と共に用いられる場合に特別な価値を有することができると考えられる。このようなインクにより、信頼される発送者からの大量の郵便物を迅速に選別する郵便分類機能が可能になり、それによってセキュリティ選別のために全ての郵便物を特別に処理する必要性が低減又は消失すると考えられる。
【０００５】
「蛍光セキュリティマーキング」という用語は、本明細書で用いる場合、ＵＶ光のような短波長の励起光に曝されると、スペクトルの定められた領域で蛍光を発するセキュリティマーキングを意味する。入射励起光と蛍光発光の間の波長のシフトにより、蛍光が直接反射から明らかに区別される。上述のＰＯＶインクは、可視画像と一致する蛍光セキュリティマーキングを提供することができ、それによって特にインクが制御を受けてその入手可能性が制限されている場合に検出して複写することを非常に困難にするが、このようなインクを偽造することを更に困難にし、法医学的追跡に好適な独特な「フィンガプリント」を提供することができるようにする困難に対処する必要がある。本発明は、セキュリティの付加的な層を加え、それらに燐光を発生させ、残存する検出可能な固有の発光を提供する。
【０００６】
反射可視光と、紫外線（ＵＶ）励起のような短波長での励起からもたらされるセキュリティマーキングからの蛍光発光とに応答する自動検出装置は公知である。検出装置によってこれらのインクを用いると、蛍光及び証印画像が物理的に一致することを検証することができる。これらはまた、容易に可変性の情報を提供するためにインクジェット印刷も可能である。これらは、様々な基体上で高速で実行されて高速検証することができる容易に可変性のセキュリティマーキングを提供することができる蛍光セキュリティマーキングに適応する非常に小さな部類を形成する。高速フェイサー／キャンセラー機械(facer/canceller machine)に現在用いられる検出装置は、ＦＩＭを読み取り、郵便料金印の赤色蛍光及び切手の緑色燐光を検出することができる。現在、赤色燐光に割り当てられた機能はなく、このような特徴を有するセキュリティＰＯＶインクは存在しない。
【０００７】
カスタマイズ可能で追跡可能な特性を有するセキュリティシステムの提供を更に強化する独特の組成を有効なセキュリティに提供する付加的なＰＯＶインクが必要とされている。
【発明の開示】
【０００８】
本発明の目的は、新しい感光性の光学的可変性インクを提供することである。
【０００９】
本発明の目的は、可視、蛍光、及び燐光特性の組合せを有する新しいインクを提供することである。
【００１０】
本発明の別の目的は、セキュリティマーキング及びそれを用いるセキュリティ方法に有効な新しいＰＯＶインクを提供することである。
【００１１】
本発明の別の目的は、独特の光学的及び物理的特性を有し、法医学的に識別して追跡することができる独特のフィンガプリントを提供する際の使用を高めて、可視、蛍光、及び燐光特性の組合せを用いる安全インクを提供することである。
【００１２】
本発明の別の目的は、赤色燐光を示すＰＯＶ安全インクを提供することである。
【００１３】
本発明の別の目的は、その特徴を予め知っていなければ複写することができず、かつ専門の機器でのみ検出可能な画像を印刷することができる安全インクを提供することである。
【００１４】
本発明の更に別の目的は、自動分類機器の信頼性を強化する独特の光学的及び化学的特性を有するＰＯＶ安全インクを提供することである。
【００１５】
本発明の更に別の目的は、インクに固有のフィンガプリントを提供するために非常に低濃度、例えば６％未満、及び好ましくは１％未満で有効であるような特定の署名を有するＰＯＶ安全インクを提供することである。
【００１６】
本発明の更に別の目的は、複雑で安全な署名を形成する幅広い1つ以上の蛍光ピークと共に、署名機能として鋭い蛍光スパイクを示すＰＯＶ安全インクを提供することである。
【００１７】
本発明の別の目的は、安全なセンダーが特定されている郵便を作成するための手段としてインクジェット印刷で印刷することができる新しい種類のＰＯＶインクを提供することである。
【００１８】
本発明の更に別の目的は、郵便分類機器がトラステッドセンダー(trusted sender)からの大量の郵便物を迅速に選別し、それによってセキュリティ選別のために全ての郵便物を特別に処理する必要性を低減又は消滅させることを可能にするようになったＰＯＶインクを提供することである。
【００１９】
本発明の別の目的は、法医学的に識別して追跡することができ、かつインクジェット印刷により様々な紙のきめ及び色に印刷して易可変性情報をマーキングの中に提供することができる独特なフィンガプリントを提供する際のその使用性を強化するために、可視光及び別のＵＶ励起発生蛍光及び燐光の特性の独特な組合せを有する新しい種類のＰＯＶインクを提供することである。
【００２０】
上記及び他の目的は、インク組成物、それを用いる方法、及び得られる製品を提供する本発明によって達成される。
【００２１】
本発明のインクは、水性であり、蛍光-励起電磁線に曝されると蛍光を示す暗色の機械読み取り可能マーキングを生成することができ、また、好ましくは赤色範囲で検出可能に燐光性であり、インクジェット印刷に用いるのに適切な粘性及び表面張力を有するものである。これらは、（ａ）蛍光-励起電磁線により励起されると固有の発光帯内で光を放射する蛍光染料及び／又は顔料を含む第１の着色剤、（ｂ）暗色を生じることになる方法で第１の着色剤の固有の発光帯と重なるか又はそれよりも長い波長に光吸収帯を有する染料及び／又はコロイド顔料を含む第２の着色剤、（ｃ）セキュリティ識別に有効な検出可能な量の蛍光／燐光組成物、及び（ｄ）インクジェット印刷によりインクを予め決定されたパターンで基体に適用するのに有効なインク粘性及び表面張力を達成するのに十分な量の水及び水溶性ビヒクルを含む水性液体ビヒクルを含む。選択される燐光組成物は、希土類成分の１つ又はそれよりも多くの化学種を含む希土類組成物であることになる。
【００２２】
本発明の方法は、上述のインクをインクジェットプリンタに設けて、好適な基体上にインクで画像を印刷することにより、可視、蛍光、及び燐光成分を有する画像を印刷する工程を含む。
【００２３】
別の方法的特徴においては、本発明は、（ａ）上述のインクで画像を印刷する工程、（ｂ）画像に白色光を照射する工程、（ｃ）白色光を照射された時に画像を読み取る工程、（ｄ）画像に紫外線を照射する工程、（ｅ）赤色蛍光検出器で画像を読み取る工程、（ｆ）赤色蛍光検出器で読み取った画像を基準値と比較する工程、（ｇ）工程（ｆ）での比較に基づいて制御信号を発生させる工程、（ｈ）紫外線照明を終了する工程、（ｉ）赤色燐光検出器で画像を読み取る工程、（ｊ）赤色燐光検出器で読み取った画像を基準値と比較する工程、及び（ｋ）工程（ｊ）との比較に基づいて制御信号を発生させる工程を含むセキュリティ方法を提供する。
【００２４】
本発明のインク及びそれを用いる方法、並びに得られる製品は、インクが、固有の異なる発光スペクトルを有する２つの希土類種を含み、インクが、約１００ｎｍ未満、例えば約７０〜８０ｎｍの発光帯幅、及び第一ピーク及び第二ピークに対して約１０ｎｍ未満の発光帯幅を示し、インクが、第一蛍光ピーク及び第二発光ピークの右側に燐光スパイクを示す希土類組成物を含み、インクが、インクの質量の５％未満の濃度で存在する時に検出可能な燐光を示す希土類組成物を含むといったいくつかの好ましい態様を有し、その更に他のものは、以下に説明し、実施例及び添付図面に示されている。
【００２５】
本発明は、特に添付図面に照らして読む時に以下の説明からより良く理解され、その利点が更に明らかになるであろう。
【発明を実施するための最良の形態】
【００２６】
本発明は、インクジェット印刷を含む様々な印刷手段により画像を印刷することができる新しい感光性の光学的可変性（ＰＯＶ）インクに関する。「感光性の光学的可変性」という用語は、インクが、短波長光で励起されると特定の波長範囲で蛍光を発する印刷した視覚的に黒又は濃灰色の機械読み取り可能な情報を有するマーキングを提供することができることを意味する。印刷された画像は、可視スペクトルの赤色領域を含む全可視スペクトルを通して可視光吸収を示し、赤色インクは、典型的な自動走査システムに不可視である。この種類のインクは、例えば、米国特許公開第２００３／００４１７７４号、米国特許公開第２００２／０１９５５８６号、及びＪｕｄｉｔｈ  Ｄ．Ａｕｓｌａｎｄｅｒの名前で２００４年６月２２に出願され、同一出願人の同時係属の「インクジェット印刷に有用な感光性の光学的可変性インク組成物」という名称の米国特許出願第１０／８７３，３１９号に説明されている。本明細書に説明するインクに関しては、本発明のインクは、可視及び紫外線の両方で可視的であり、物理的に一致するポジ及びネガ画像を有することができる画像を生成することができる。しかし、本発明のインクは、付加的な機能性を提供し、可視、蛍光、及び燐光特性の独特の組合せを有する。本発明のインクの利点は、インクの特性を予め知らなければ複写することができず、特別に設計された機器でのみ検出可能なセキュリティマークを印刷することができることである。
【００２７】
本発明のインクは、いくつかのインクジェット印刷作業に用いることができ、可視の暗色及び蛍光の画像を生じる。本発明のインクは、本発明のインクを基体に印刷することによって可能になった可視及び蛍光両方の画像を提供し、すなわち、可視光により照らされると反射する印刷した基体の画像、紫外線で励起すると蛍光を発する同じ印刷した基体の画像である。本発明のインクは、これに、更に第３の同時画像である燐光性の画像を提供する機能が加わる。検出可能な画像のこのような組合せは、独特で、いくつかの有用性のために非常に有利であり、そのうちのいくつかは本明細書に説明する。好ましい一態様では、インクは、固有の異なる発光スペクトルを有する２つの希土類種を含むことができる。別の好ましい態様では、インクは、第一ピークに対しては約７０〜８０ｎｍ、第二ピークは約１０ｎｍ未満の発光帯幅を示す。代替的に、インクは、第一蛍光ピーク及び第二発光ピークの右側の燐光スパイクを示す希土類種を含むことができる。代替的に、インクは、インクの質量の５％未満の濃度で存在する時に検出可能な燐光を示す希土類種を含むことができる。選択される燐光組成物は、希土類成分の１種以上の化学種を含む希土類組成物とされることになる。他の好ましい態様は、以下に説明されており、実施例及び添付の図面に示されている。
【００２８】
郵便料金証明の分野でのＰＯＶセキュリティマーキングの適用は、紫外線を照らすとスペクトルの赤色領域で蛍光を発し、照明を終了すると燐光を発する黒色郵便料金証印である。例えば、ＰＯＶセキュリティマーキングは、反射光で走査し、マーキングを可視光で照らすことによって得られる画像が、セキュリティマーキングの印刷された領域に一致する暗色の領域を提供し、紫外線（ＵＶ）照射の下、蛍光で走査された画像が、印刷した領域に一致する走査した画像の光の領域になるデータマトリックスバーコードを提供することができる。蛍光画像は、反射画像のネガであり、すなわち、この２つの画像の間には強い負の関係がある。これらの容易に見ることができる画像に対して、本発明は、基本黒色蛍光インクの主要蛍光画像よりも帯幅が狭くて異なる波長にピークを有し、燐光も示す蛍光発光の区別可能な狭い帯を設けることによって別の一連の特徴を付加するが、この付加された特徴の両方は、低濃度の希土類金属組成物で生じるものである。
【００２９】
発送者を識別する様々な文書を含む郵便払い込み及び他のセキュリティに依存する用途のような郵便料金メータを用いる用途を評価するためには、法医学的特性が重要である。郵便又は他の輸送品の発送者又は送信元を簡単かつ有効に識別する機能は、多くの状況で価値がある可能性がある。郵便の場合には、発送者特定郵便（ＳＩＭ）マーキングを用いると、分類を助けるのに有効であり、これを用いて料金及び他の情報を検証することができる。本発明のインクは、有用な付加的なセキュリティレベルを設けることができ、この存在は、偽造者には容易に識別可能ではない。この種類のインクは、管理された供給元を通して利用可能にすることができる特別な利点がある。認定ユーザに調製を相関させるセキュリティ方法に用いると、更に高レベルのセキュリティを得ることができる。本発明のインクは、大量の郵便物を迅速に選別し、信頼される発送者からの郵便物を迅速に分離する郵便分類機能を可能にすることができ、それによってセキュリティ選別のために個々の郵便物を特別に処理する必要性が低減又は消失する。それにより、セキュリティを低減することなく費用を削減することができる。
【００３０】
上述のＰＯＶインクでのように、本発明は、通常用いられるものに加えて、反射可視光と、紫外線（ＵＶ）励起のような短波長で励起されることによるセキュリティマーキングから生じる蛍光発光とに応答する自動検出器を利用することができる。従って、本発明のインクを用いて、蛍光及び可視画像が物理的に一致することを検証することができる。更に、これらは、易可変性情報を提供するためにインクジェット印刷することができる。これらは、様々な基体に高速で実行して高速検証することができる易可変性セキュリティマーキングを設けることができる蛍光セキュリティマーキングのための非常に小さな部類を形成する。本発明は、赤色燐光検出器及び検出した蛍光及び燐光画像の組合せを機械読取りに適するフォーマットで印刷したユーザの識別情報に相関させる制御論理を含むシステムに用いる場合には、その利用を更に安全にする。
【００３１】
高速フェーサー／キャンセラー機械に現在用いられる検出器は、ＦＩＭを読み取り、切手の赤色蛍光及び緑色燐光を検出することができる。現在、赤色燐光のための割り当て機能は存在せず、このような特徴を有するセキュリティＰＯＶインクも存在しない。本発明のインクは、赤色燐光の検出器と共に用い、高速分類作業で新しいレベルのセキュリティを達成することができる。信頼される発送者からの郵便及び他のものは、確実に識別し、機械的に分類することができる。
【００３２】
本発明のインク組成物は、蛍光顔料又は染料混合物（可溶性及び／又は組み込み染料）を含む第１の着色剤、及び重なるか又はより長い波長の吸収着色剤（染料及び／又は顔料）を有する第２の着色剤を蛍光／燐光成分、例えば有機金属組成物、特にユーロピウム及びテルビウムの錯体のような１種以上の希土類錯体と組み合わせて用いる。この組合せにより、暗色、好ましくは黒色又は灰色の可視インク画像が得られ、これは、検出可能な一致する蛍光及び燐光画像も提供する。
【００３３】
本発明のインクに有用な蛍光／燐光組成物化学種には、特に希土類の燐光特性を有する金属、すなわち、ランタン、セリウム、プラセオジム、ネオジム、プロメチウム、サマリウム、ユーロピウム、ガドリニウム、テルビウム、ジスプロシウム、ホルミウム、エルビウム、ツリウム、イッテルビウム、ルテチウムを含むランタニド系列の金属、並びにアクチニウム、トリウム、プロトアクチニウム、ウラン、ネプツニウム、プルトニウム、アメリシウム、キュリウム、バークリウム、カリホルニウム、アインスタイニウム、フェルミウム、メンデレビウム、ノーベリウム、及びローレンシウムを含むアクチニド系列の金属を含むものが含まれる。特に、燐光組成物は、有機金属燐光成分、特にユーロピウム及びテルビウムの錯体のような１種以上の希土類錯体を含むことになることが好ましい。これらの組成物は、一般的に、希土類三価イオンの役割を有する有機配位子を含み、従って、三価イオンから有機配位子にエネルギ移動錯体を与え、従って、基底状態から励起状態まで効率的に遷移して再び基底状態まで戻り、強い蛍光信号が生じる。これらの組成物は、特に活性化物質として、非燐光金属成分及び燐光金属成分を含むことができる。本発明の利点は、これらの材料を組成物により提供される法医学的署名を識別するのに有効な質量比、例えば、１：１００〜約１００：１の範囲で用いることができることである。典型的な濃度は、約０．１〜１０％の範囲、好ましくは、２〜６％の範囲とされることになる。
【００３４】
蛍光／燐光材料の場合には、減衰性の測定値を観察して基準値と比較し、識別の失敗又は承認のいずれかを示す制御信号を得ることができる。燐光体及び蛍光体の混合物を組み合わせて用いて照射に対するそのそれぞれの応答を観察し、基準値と比較して制御信号を発生させることができる。特に関心が持たれる材料は、天然の無機であり、希土類イオンが増感体及び活性体として存在する結晶格子を含む。これらの材料の励起及び発光特性は、用いた希土類イオンの固有の特性である。これらの対応する光学吸収及び発光過程は、それぞれの希土類イオンの不完全に充填された４ｆ殻内の電子遷移に起因し得る。希土類イオンは、狭い帯の光学吸収及び発光スペクトルを有し、これが、結晶格子の性質と大部分無関係であるために有利である。帯が鋭く分離しており、結晶格子との相互作用が小さいために、通常は、発光色の彩度が高く、発光量子収率が大きくなることになる。
【００３５】
従って、本発明のインクは、紫外線のような短波長光で励起されると蛍光を発し、このような照明が終了すると固有の狭い帯内で固有の減衰速度で燐光を発する可視の暗色印刷物を生成する感光性の光学的可変性（ＰＯＶ）インクである。好ましくは、インクは、固有の異なる発光スペクトルを有する２つの希土類種を含み、このインクの発光帯幅は、第一ピークに対して約７０〜８０ｎｍを示し、第二ピークは約１０ｎｍ未満である。望ましくは、インクは、第一蛍光ピーク及び第二発光ピークの右側の燐光スパイクを示す希土類種を含む。好ましい燐光組成物は、インクの質量の５％未満の濃度で存在する時に検出可能な燐光を示すことができる希土類種を含むことになる。好ましい燐光インクには、一例として、Ｌｕｍｉｌｕｘ  ＣＤ  ３８０及びＬｕｍｉｌｕｘ  ＣＤ  Ｅ−９５７４として入手可能な市販の材料が挙げられるようなユーロピウム又はそれを含む錯体に基づくインクが含まれ、その最初のものは、一般的に約５％まで、例えば０．５〜３％で用いられ、第２のものは、それよりも高濃度で、一般的に約１２％まで、例えば１〜５％で用いられる。好ましい組成物は、以下の実施例４に例示されるように両方の組成物を共に用いる。
【００３６】
本発明のインクは、固有の特性を備えた一致する可視、蛍光、及び燐光画像という目標を達成するために少なくとも２つの区別可能な着色剤部分を含むことになる。第１の着色剤部分は、蛍光-励起電磁線により励起されると固有の発光帯で光を放つ蛍光顔料及び／又は染料を含むことになる。赤色の蛍光が好ましい。蛍光染料は、インクを可視色にするのに必要な寄与をすると共に機械検出可能な蛍光画像を生じるのに有効な濃度で製剤に存在することになる。第１の着色剤に適切な蛍光染料には、本明細書の目的を満たす染料が含まれ、これらは、上述の米国特許公開第２００２／０１９５５８６号及び第２００３／００４１７７４号及び「インクジェット印刷に有用な感光性の光学的可変性インク組成物」という名称の上述の現在特許出願中の米国特許出願第１０／８７３，３１９号に説明している。従って、本発明は、水溶性であると共にポリマー組み込みの蛍光染料を用いることができる。言及した文献は、代表的な組成物を列挙しており、使用濃度を例示して説明している。
【００３７】
好ましい水溶性蛍光染料には、赤色蛍光及びインク組成物のインクに暗色を生じさせる適切な強度の可視色を特徴とする染料が含まれる。この部類の最も好ましい染料は、赤色〜緑色の可視色を有し、５００〜６８０ｎｍの範囲の光を放つことによって蛍光を発する。好ましい黄色又はオレンジの蛍光染料成分（ＦＹ）は、陰イオン性クマリン、陽イオン性クマリン、陰イオン性ナフタルイミド染料、ピラニン（陰イオン性ピレン染料）、中性、陰イオン性及び陽イオン性ペリレン染料、及び陰イオン性キサンテン染料のような発色系に基づくことができる。いくつかの好ましい黄色又はオレンジの蛍光染料は、例えば、米国特許公開第２００２／０１９５５８６号の図１３に示すような陰イオン性クマリン、陽イオン性クマリン、クマリンスルホン酸、陰イオン性ナフタルイミド、中性ペリレン、陽イオン性ペリレン、陰イオン性ピロニン、及び陰イオン性ナフタルイミド染料である。有用な赤色及び紫の蛍光染料には、例えば、米国特許公開第２００２／０１９５５８６号の図１４に示すような陰イオン性キサンテン染料、ビスピロメタンホウ素錯体、陽イオン性及び双性イオンピロニン、及びスルホローダミンＢ（ＳＲＢ）が含まれる。アシッドレッド５２は、適切な水溶性マゼンタ染料である。アシッドレッド５２染料は、通常用いる時には、水中で満足できる溶解性はあるが、水堅牢度は非常に低い。従って、マゼンタアシッドレッド５２染料の不利な点は、このような染料を含むインクは、水に露出されると滲み出すことである。有用な黄色及びオレンジ染料には、アシッドイエロー７、クマリンスルホン酸、陽イオン性クマリン、陰イオン性クマリン、中性、陰イオン性及び陽イオン性ペリレン染料、陰イオン性ナフタルイミド染料、及びピラニン染料が含まれる。これらの染料の重要な特性は、蛍光特性に優れた暗色インクを形成する機能である。効果のあるものとして、これら及び米国特許公開第２００３／００４１７７４号に特定される他の染料を用いることができる。
【００３８】
黒色インクにするためには、本発明の着色剤混合物は、全可視スペクトルにわたって３９０ｎｍ〜約１２００ｎｍを吸収すべきである。紫外線の望ましい領域である５８０〜６３０ｎｍに同時に赤色蛍光を得るために、組成物は、蛍光励起電磁線、例えばＵＶ光を効率的に吸収し、好ましくは５８０と６３０ｎｍの間で効率的に蛍光を発するべきである。第１の着色剤染料は、コロイド状の顔料を単独で、又は第１の着色剤の固有の発光帯よりも長い波長に光吸収帯を有するか、又は第１の着色剤の発光波長とも重なり、暗色、好ましくは黒色になるように染料と共に含む本発明の第２の着色剤と組み合わせて、これらの基準を満たすように選択される。
【００３９】
第２の着色剤は、機械検出可能な蛍光画像を妨げることなくインクが可視色であるのに必要な寄与をするのに有効な濃度で製剤中に存在することになる。第２の着色剤は、上述の米国特許公開第２００３／００４１７７４号及び第２００２／０１９５５８６号、及び同一出願人の同時係属の米国特許出願第１０／８７３，３１９号に記載されている染料及び／又は顔料のいずれかとすることができる。本発明のインクは、一般的に、適用する時にインク組成物中の第２の着色剤の質量で約１〜約５％、更に綿密には、２〜４％の濃度で（乾燥固体質量に基づく）第２の着色剤を用いる。染料及び／又は顔料は、固有の紙への浸透率を有することになり、この群の好ましいメンバーは、インクジェット印刷による印刷後に水に濡れることによって有意に鮮鋭度を失うことにならない。
【００４０】
本発明のインクの第２の着色剤に用いるのに適切な着色剤には、例えば、Ｙｕ他に付与された米国特許第６，４９４，９４３号に記載されるような水分散可能コロイド状顔料が含まれる。Ｙｕらの特許に広い意味で説明する顔料は、１種以上の望ましいパラメータ及び／又は特徴を有する着色顔料であると定義されている。これらのパラメータ及び／又は特徴には、ａ）粒径が約１０ｎｍ〜約３００ｎｍであること、ｂ）アキュサイザー(accusizer)数が、０．５μm(ミクロン)よりも大きな１５％固体で１０10粒子／ｍｌ分散未満であること、ｃ）１０％固体の着色顔料を有する液体媒体１００ｍｌ中にある時に、３μm(ミクロン)ナイロンアブソルートフィルターを通って濾過されるような濾過性、ｄ）着色顔料純度が抽出可能材料に基づいて約８０％よりも大きいこと、及び／又はｅ）上記特徴が、２５℃で少なくとも１週間５０％を超えて変化しないような安定性が含まれる。同様に、本発明の好ましい顔料は、これらの特徴の１つ以上を有することを特徴とすることができる。これらに加えて、顔料は、安定性を維持するために分散剤が必要である。好ましいコロイド状顔料の１つは、カボットブルー顔料分散剤、シアン  ＣＯＪ  ２５０としてカボット(Cabot)コーポレーションから入手可能である。この種の顔料は、染料の範囲まで滲み出すことにならず、しかも本発明の製剤中では、セキュリティ及び他の値の証印を押したマーキングに非常に望ましい浸透度及び水堅牢度を生じることになる。これらの顔料に加えて、適切な特徴を有するカーボンブラックを少量又は他の暗色顔料と組み合わせて用いることができる。カーボンブラックが唯一の暗色顔料又は着色剤になる場合には、ある程度蛍光を消光する傾向があるが、これは、燐光も消光されない一部の状況では有利である可能性がある。カーボンブラックが用いられる場合、一般的にインクの約５％未満、例えば約１〜３％を構成することになる。
【００４１】
また、第２の着色剤は、例えば、米国特許公開第２００３／００４１７７４号に説明するように、１つ又はそれよりも多くの適切に着色した水溶性染料を含むことも好ましいことになる。これらには、インクジェット用途に精製された酸性及び直接染料、例えば、ＣＩ  Ａｃｉｄ  Ｂｌｕｅ  ９、Ｄｕａｓｙｎ  Ｂｌｕｅ  ＦＲＬ−ＳＦ（Ｄｉｒｅｃｔ  Ｂｌｕｅ  １９９）、Ｐｒｏｊｅｔｆａｓｔ  Ｃｙａｎ  ２、Ｄｉｒｅｃｔ  Ｂｌｕｅ  ３０７、又は消散係数が１０，０００よりも大きく水溶性のあらゆる青色染料のような青色染料が含まれる。更に、染料は、可読性を維持するために印刷したインクを適切に暗色にすると共に、機械可読性をもたらすために適切な蛍光を与えながら可視範囲に望ましい色、暗度、又は色相を生じるように選択された上述の染料の１つとすることができる。
【００４２】
上述の着色剤及び均等物に加えて、本発明のインク組成物は、インクジェット印刷により予め決定されたパターンでインクを基体に適用するのに有効なインク粘性及び表面張力を達成するのに十分な量で水及び水溶性ビヒクルを含む水性液体ビヒクルを含むことになる。これらの成分に典型的なものは、本明細書において引用により組み込まれている上述の特許公開に説明されている。これらのインク組成物に用いられる着色剤のためのインク担体は、少なくとも６５％の水を含む。
【００４３】
蛍光安定剤は、（時に蛍光を高めることによって）一定の蛍光レベルを維持するのに有効な濃度で用いることができる。低粘性インクの蛍光は、インクが紙に浸透する時に低減する可能性があるために、一定レベルの蛍光を維持するのを助けるのに有効な添加剤を含むことが好ましい。以下の溶媒、すなわち、Ｎ，Ｎ−ジメチルアセトアミド、スルホラン、ホルムアミド、メチルフェニルスルホキシド、Ｎ−メチルピロリジノン、４−メチルモルホリン−Ｎ−オキシド（ＭＭＮＯ）、ジメチルスルホキシド（ＤＭＳＯ）等は、蛍光を高めることができる。これらの溶媒の全ては、誘電定数が高いか（＞約２０）又はヒルデブランド溶解パラメータ値が高い（δ＞１０ＭＰａ1/2）双極性非プロトン溶媒の特徴を有する。
【００４４】
このリストからは、４メチルモルホリン−Ｎ−オキシド（ＭＭＮＯ）が、長期間蛍光を増大させる最高の機能を有しており、蛍光が消光する傾向がなく、純粋な時には吸湿性で高沸点の固体である。（一般的に、５０〜６０％水溶液として供給される。）ＭＭＮＯは、セルロースに対する公知の溶媒であり、紙の繊維への浸透を助け、それによって選択的に長持ちするように蛍光を増大することができる。極性のある低分子量の樹脂（ＰＬＭＷＲ）は、多くの場合にあまり大きな程度ではないが、上述のＦＳ材料と異なる機構で蛍光を高めて安定させる利点がある。ポリビニルピロリドン（ＭＷ１５０００）及びポリエチレングリコールのような極性のある樹脂が有利である。極性染料に対して良好な溶媒特徴を備えた他の水溶性樹脂は、ポリビニルアルコール、ポリＮ，Ｎ−ジメチルヒダントイン、ポリアクリレート等である。
【００４５】
ＢＴＧ（トリエチレングリコールモノブチルエーテル）のようなグリコールエーテルは、水と他の有機溶媒との間を架橋し、内部水素結合により色及び蛍光を増強し、紙への浸透度を改善することなどの複数の有利な効果を有することができる。最も効率的なグリコールは、ＢＴＧであった。用いることができる適切なグリコールには、次のものが含まれる。すなわち、トリエチレングリコールｎ−ブチルエーテル（ＢＴＧ）、トリプロピレングリコールメチルエーテル（ＴＰＭ）、ジエチレングリコールｎ−ブチルエーテル（ＤＢ）、ジエチレングリコールメチルエーテル（ＤＭ）、ジプロピレングリコールメチルエーテル（ＤＰＭ）等である。
【００４６】
トリエタノールアミン、エタノールアミン、ジエタノールアミン、トリイソプロパノールアミン、ブチルジエタノールアミン、Ｎ，Ｎジメチルエタノールアミン、Ｎ，Ｎジエチルエタノールアミン、Ｎ，Ｎジプロピルエタノールアミンなどのようなアミンは、染料の凝集を防ぎ、不堅牢(fugitive)対イオンとして乾燥中に蒸発することを防ぎ、従って、水堅牢度を改善し、並びに水／グリコール／エーテル混合物での溶解性を改善するのに有用とすることができる。更に、アミンは、長期放置の間に一定の粘性を維持し、並びに流動性及び容易な再分散性を維持するのにも役立つ。更に、アミンは、印刷中又は印刷中断後の再開時にノズルの目詰まりを引き起こさず、従って、高度な排出安定性を維持する。
【００４７】
本発明のインク組成物は、好ましい形態で以下に示されており、これらの形態及び他の形態は、好ましくは両方とも機械読み取り可能な可視及び蛍光画像をインクジェット印刷するのに非常に有効である。更に、画像は、検出可能で好ましくは可読な燐光画像、好ましくは機械読み取り可能な赤色燐光画像も有することになる。可視画像は、正常なヒト視力で明瞭に見え、視覚範囲の光で様々な画像読取機械に用いるのに有効である。更に、画像は、着色染料又は顔料が存在するために消光しても十分に蛍光性であり、可視画像の実質的なネガである機械読み取り可能な蛍光画像を生じる。望ましくは、関連のスペクトル範囲（ＳＲＯＩ）内、例えば、３９０〜６８０ｎｍ（可視範囲）では、インク反射率は、紙反射率の５０％未満である。
【００４８】
本発明のインクは、インクジェット印刷により像様に適用することができ、可視及び蛍光-励起電磁線に曝されると機械読み取り式画像を提供することができる。インクジェット印刷で有効に用いられるインクでは、適切な低粘性を有し、しかも十分な蛍光及び可視光反射率を達成して乾燥すると認識可能な画像をもたらすのに十分な固形分を有するべきである。好ましくは、乾燥インクは、各種基体上に機械読み取り可能な画像を生じることになる。
【００４９】
インクは、インクジェット印刷によりインクを予め決定されたパターンで基体に適用するのに有効なインク粘性及び表面張力を達成するのに十分な量の水及び水溶性ビヒクルを含む水性液体ビヒクルを含有することになる。粘性は、一般的に約１５ｃｐｓ未満とされることになる。熱インクジェット印刷では、粘性は、２５℃でＨａａｋｅ  ＶｉｓｃｏＴｅｓｔｅｒで測定すると１〜５ｃｐｓ、好ましくは２〜４ｃｐｓの範囲内であり、表面張力は、２５℃でＦｉｓｈｅｒ  Ｓｕｒｆａｃｅ  Ｔｅｎｓｉｏｍａｔで測定すると２０〜約８０ｄｙｎｅ／ｃｍ、好ましくは３０〜５０ｄｙｎｅ／ｃｍを示す必要がある。圧電手段によるインクジェット印刷では、粘性は、上述の方法で測定する時に、１．５〜１５ｃｐｓ、好ましくは２〜１２ｃｐｓの範囲とすべきである。
【００５０】
本発明の好ましいインクは、短波長又は長波長のＵＶ光で励起されると、視覚的暗色（中性黒色）、赤色蛍光信号及び赤色燐光信号を有することになる。印刷コントラスト信号ＰＣＳ（ＰＣＲとも呼ばれる）は、ＵＳＰＳからのEnvelope Reflectance Meterで測定すると、白色及びクラフト紙では赤色又は緑色フィルタを用いると０．３５よりも大きいことが好ましい。赤色フィルタを用いた白色紙では、０．４５よりも大きな値、例えば０．４８及びそれよりも大きく、例えば０．４８〜０．６が望ましく、本質的には緑色フィルタを用いても同じ値である。クラフト紙では、緑色フィルタで０．３５よりも大きく、例えば０．３７〜０．５であり、赤色フィルタで０．４５以上、例えば０．４３〜０．６であることが好ましい。本明細書で挙げたこれに用いる試験法及び他のデータは、例えば米国特許公開第２００３／００４１７７４号に説明されている。
【００５１】
ＰＲＤは、赤色及び緑色フィルタを用いると、白色及びクラフト紙に対しては０．２５よりも大きいことが好ましい。白色紙に対しては、赤色フィルタを用いると、０．６０以上とすることができ、緑色フィルタでは、０．５５以上とすることができる。クラフト紙に対しては、赤色フィルタを用いると、０．３０以上とすることができ、緑色フィルタでは、０．２５以上とすることができる。従って、可視成分の光学密度は、ＯＣＲスキャナなどを用いて自動走査することができるほど十分に高い。蛍光成分は、フェーシング機器で郵便を一定方向にし、好ましくは緑色燐光切手を区別するのに用いるのに適切である。発光は、ＵＶ光で励起される時に５８０〜６４０ｎｍの範囲の波長である。蛍光強度は、少なくとも７ＰＭＵとする必要があり、例えば、固体印刷領域に対して（３９〜６９）Phosphor Meter Unit（ＰＭＵ）、及びドローダウンに対して５０〜９８ＰＭＵであり、蛍光成分は、溶媒（担体）で基体に運搬し、適切な蛍光信号強度を生じることができる。別の方法的特徴では、本発明は、本発明による好ましい処理シーケンスを示す処理流れ図を示す図１８に示すようなセキュリティ方法を提供する。一般的に、処理は、（ａ）上述のインクで画像を印刷する工程、（ｂ）画像に白色光を照射する工程、（ｃ）白色光を照射された時に画像を読み取る工程、（ｄ）画像に紫外線を照射する工程、（ｅ）赤色蛍光検出器で画像を読み取る工程、（ｆ）赤色蛍光検出器で読み取った画像を基準値に比較する工程、（ｇ）工程（ｆ）の比較に基づいて制御信号を発生させる工程、（ｈ）紫外線照明を終了する工程、（ｉ）画像を赤色燐光検出器で読み取る工程、（ｊ）赤色燐光検出器で読み取った画像を基準値に比較する工程、及び（ｋ）工程（ｊ）の比較に基づいて制御信号を発生させる工程を含む。
【００５２】
以下の実施例は、本発明を更に例示して説明するために含むものであり、いかなる意味においても制限するものと解釈されるものではない。特に示さなければ、全ての部及びパーセントは質量によるものである。
【実施例１】
【００５３】
希土類金属組成物による２つの蛍光帯（１つは、黒色蛍光インクの蛍光着色剤に固有の広い発光帯であり、２番目は、希土類金属組成物の存在、即ちＬｕｍｉｌｕｘ  ＣＤ３８０中の、ユーロピウムによる明確な狭い蛍光発光帯である）及び燐光を示す顔料の形態で付加的なセキュリティ成分を含む本発明によるインクが、本発明により調製される。このインクを付加的なセキュリティ成分を含まない黒色蛍光インクと比較する。
2008503643.tif 000003
【００５４】
2008503643.tif 000004
希土類金属組成物を黒色蛍光インクに加える影響は、（１）比較染料の発光スペクトルに部分的に重なる希土類金属組成物の狭い発光帯と、（２）特徴的に減衰する燐光とにより著しいセキュリティ効果を生じる。図１は、本発明の利点及び好ましい態様を示すために挙げられた蛍光発光強度を示しており、これは、発光帯幅が、第一ピークに対しては約１００ｎｍ未満、例えば約７０〜８０ｎｍ、第二ピークは約１０ｎｍ未満であることを示している。図１の場合は、低濃度（０．１０及び０．２６％）の希土類組成物が、カーボンブラックも含むインクに用いられ（下の実施例７参照）、独特で検出が困難な署名を与える。図２は、希土類組成物の濃度を変化させたインクの蛍光発光減衰を示すグラフである。これらの特徴を有する安全インクの正確な性質は、第一に特定の可視及び蛍光機能のみを含む従来の読取機器を用いての検出が困難である。
【実施例２】
【００５５】
希土類種の濃度を０〜３％まで変化させて以下の表による一連のインクを調製し、本発明のインクと可視及び蛍光画像のみを与えることができるインクの間の性質の違いを示す手立てとする。
【００５６】
2008503643.tif 000005
【００５７】
2008503643.tif 000006
【００５８】
2008503643.tif 000007
【００５９】
2008503643.tif 000008
インクの蛍光及び燐光を判断し、結果を以下の表に示し、図３にプロットする。ここでもまた、安全インクの正確な性質は、判断するのが非常に困難である。従来の検出器でのみ蛍光を探しても、希土類種を含まないインクに比較して蛍光の有意な増大は見えることにならず、燐光が分かることにもならない。本発明によりこのように差異を生じさせたインクを提供することにより、セキュリティの層を設けることができるようになる。
【実施例３】
【００６０】
本発明により実施例１のインクに類似する別のインクを調製し、希土類種を含まない同様のインクに比較する。
【００６１】
2008503643.tif 000009
【００６２】
2008503643.tif 000010
２つのインクを比較し、図４は、希土類種の様々な濃度での本発明のインクに対する蛍光の発光スペクトルを示している。
【実施例４】
【００６３】
本発明によるが、異なる希土類金属組成物を用いた別の一連のインクを調製する。
【００６４】
2008503643.tif 000011
これらのインクを実施例１のインクと比較する。比較の１つでは、各々に対する蛍光の強度（２５４ｎｍでの励起）を求めた。１４％のＣＤ  Ｅ９５７４のインクは、１％のＣＤ  ３８０のインクと波長６１５ｎｍでの蛍光が同じ強度であることが分かった。波長６１５ｎｍでのインクに対する蛍光強度を図５に示している。２５４ｎｍでの励起に対する蛍光の発光スペクトルを図６に示している。
希土類タガント組成物を備えた同質標識黒色蛍光インクの特性
【００６５】
2008503643.tif 000012
インクに対する蛍光強度（３６５ｎｍでの励起）を測定した。発光スペクトル（図７）は、ＣＤ  Ｅ−９５７４を備えたインクが、ＣＤ  ３８０を備えたインクに比較して、波長６１５ｎｍに加えて５９４ｎｍにも付加的な強いピークを有することを示している。５９４ｎｍでの蛍光強度は、３％のＣＤ  ３８０及び１２％のＣＤ  Ｅ−９５７４を備えたインクに対してそれぞれ６６７０４０ｃｐｓ及び９４７４１５ｃｐｓである。異なる質量（％）のＣＤ  Ｅ９５７４を備えたインクに対する６１５ｎｍでの蛍光強度を図８に示している。
【００６６】
インクに対して燐光の励起スペクトルを測定した。図９は、ＣＤ  Ｅ−９５７１を備えたインクに対する２７０ｎｍ及び３４０ｎｍの２つの幅広いピークを示している。ＣＤ  ３８０を備えたインクに対しては、２つのピークは、２３０ｎｍ及び２７０ｎｍに現れる。
【００６７】
燐光強度（２５４ｎｍでの励起）を測定する。１０％のＣＤ  Ｅ９５７４を備えたインクは、波長６１５ｎｍで１％のＣＤ  ３８０を備えた他方のインクと同じ燐光強度を有する。図１０及び図１１を参照されたい。
【００６８】
2008503643.tif 000013
異なるパーセントのＣＤ  Ｅ９５７４を備えたインクに対する燐光強度を測定し、図１２及び図１３にグラフ的にまとめた。
【００６９】
燐光の燐光強度減衰時間を測定し、図１４にグラフ的にまとめた。
【００７０】
2008503643.tif 000014
【実施例５】
【００７１】
この実施例は、この実施例の２つの希土類種組成物の独特な組合せを備えたインクにより、識別及び複写が著しく妨げられることを示している。以下の表には、対照のための調製及びＣＤ  ３８０及びＣＤ  Ｅ９５７４の両方を備えたインクが示されている。２５４ｎｍで励起された蛍光スペクトルを対照に比較したものが図１５であり、３６５ｎｍで励起された蛍光スペクトルを対照に比較したものが図１６であり、２５４ｎｍ又は３６５ｎｍでそれぞれ励起されたＣＤ  ３８０及びＣＤ  Ｅ９５７４の両方を備えたインクの燐光スペクトルが図１７である。
【００７２】
2008503643.tif 000015
【００７３】
2008503643.tif 000016
【実施例６】
【００７４】
希土類金属組成物による２つの蛍光帯（１つは、黒色蛍光インクの蛍光着色剤に固有の広い発光帯であり、２番目は、希土類金属組成物の存在、Ｌｕｍｉｌｕｘ  ＣＤ３８０中のユーロピウムによる明確な狭い蛍光発光帯である）及び燐光を示す組成物の形で付加的なセキュリティ成分を含む本発明によるインクを調製する。このインクを付加的なセキュリティ成分を含まない黒色蛍光インクと比較する。
【００７５】
2008503643.tif 000017
【００７６】
2008503643.tif 000018
黒色蛍光インクに希土類金属組成物を加える結果、著しいセキュリティ効果が生じ、これは、実施例１と同様である。
【実施例７】
【００７７】
この実施例では、本発明によるが、カーボンブラックを含む別のインクを調製し、これをカーボンブラックを有するが、希土類組成物を含まない同様のインクに比較する。インクは、次の材料で調製する。
【００７８】
2008503643.tif 000019
インクを試験し、次のことが示された。
【００７９】
2008503643.tif 000020
【００８０】
インクは、希土類組成物（ＣＤ３８０）の濃度を変化させた同様の処方のインクに対しては次の表に示す蛍光及び燐光強度（２５４ｎｍで励起）を示している。
染料及びカーボンブラックを用いるＢＦインクに対して「ＬＵＭＩＬＵＸ  ＣＤ３８０」が蛍光及び燐光に及ぼす効果
【００８１】
2008503643.tif 000021
注：
*強度は、Ｆｌｕｏｒｏｌｏｇ−３で測定した。
**強度は、Ｐｅｒｋｉｎ  ＬＳ  ５０Ｂで測定した。
【００８２】
蛍光強度（３６５ｎｍで励起）
2008503643.tif 000022
*強度は、Ｆｌｕｏｒｏｌｏｇ−３で測定した。
【００８３】
蛍光及び燐光に対するＰＭＵ
【００８４】
2008503643.tif 000023
*強度は、Ｆｌｕｏｒｏｌｏｇ−３で測定した。
【実施例８】
【００８５】
本発明による一連のインクを調製して評価する。以下の表は、希土類組成物の質量パーセントに対する発光強度を示している。
【００８６】
2008503643.tif 000024
以上の説明は、当業者が本発明を実施することを可能にするものである。これは、当業者がこの説明を読むと明らかになると考えられる可能な修正及び変形の全てを詳述することを意図していない。しかし、これらの修正及び変形は、以上の説明に見られ、そうでなければ特許請求の範囲によって規定される本発明の範囲に含まれることが意図されている。特許請求の範囲は、内容に特に矛盾しなければ本発明に意図する目的を満たすのに有効なあらゆる配置又は順序の指示した要素及び工程を含むものとする。
【図面の簡単な説明】
【００８７】
【図１】実施例１に説明したものと同様であるが低レベルの希土類組成物を含有する本発明のインクに対する蛍光発光強度を示すグラフであり、第一ピークに対して発光帯幅が約１００ｎｍ未満、例えば約７０〜８０ｎｍ、第二ピークに対して約１０ｎｍ未満を示す。
【図２】実施例１のインクに対する燐光減衰を示すグラフである。
【図３】実施例２のインクに対して希土類組成物濃度に伴う燐光及び蛍光の変化を示すグラフである。
【図４】実施例３による本発明のインクに対する蛍光発光スペクトルを示すグラフである。
【図５】実施例４に示すような異なる希土類種を備えた本発明の２つのインクの間の蛍光強度の比較を示すグラフである。
【図６】実施例４のインクと同質インクに対する蛍光の発光スペクトルを示す図である。
【図７】実施例４のインクに対する蛍光の発光スペクトルを示す図である。
【図８】実施例４のインクに対する波長６１５ｎｍでの蛍光強度を示す図である。
【図９】実施例４のインクの間の燐光の励起スペクトルの比較を示す図である。
【図１０】実施例４のインクに対する波長６１５ｎｍでの燐光強度を示す図である。
【図１１】実施例４のインクの間の燐光の発光スペクトルの比較を示す図である。
【図１２】実施例４のインクに対してドローダウンの燐光の発光スペクトルを示す図である。
【図１３】実施例４のインクに対してドローダウンの燐光の発光スペクトルを示す図である。
【図１４】実施例４のインクの燐光強度対減衰時間を示す図である。
【図１５】対照に比較した２５４ｎｍで励起した蛍光のスペクトルを示す図である。
【図１６】対照に比較した３６５ｎｍで励起した蛍光のスペクトルを示す図である。
【図１７】２５４ｎｍ又は３６５ｎｍでそれぞれ励起されたＣＤ  ３８０及びＣＤ  Ｅ９５７４の両方を備えたインクの燐光のスペクトルを示す図である。
【図１８】本発明による１つの好ましい処理シーケンスを示す処理流れ図である。
【図１】
2008503643.tif 000025
【図２】
2008503643.tif 000026
【図３】
2008503643.tif 000027
【図４】
2008503643.tif 000028
【図５】
2008503643.tif 000029
【図６】
2008503643.tif 000030
【図７】
2008503643.tif 000031
【図８】
2008503643.tif 000032
【図９】
2008503643.tif 000033
【図１０】
2008503643.tif 000034
【図１１】
2008503643.tif 000035
【図１２】
2008503643.tif 000036
【図１３】
2008503643.tif 000037
【図１４】
2008503643.tif 000038
【図１５】
2008503643.tif 000039
【図１６】
2008503643.tif 000040
【図１７】
2008503643.tif 000041
【図１８】
2008503643.tif 000042
【国際調査報告】
2008503643.tif 000043